(57)【要約】【課題】  商品取出部の側壁部の奥行き寸法が大きなものであっても防盗板の長さの増大はまねかずに容易に防盗板の側壁部に対する着脱を行える自動販売機を提供すること。【解決手段】  商品取出部３の一方の側壁部１１に対向する防盗板４の側端部２５ａに突出部２４が設けられ、外扉２の閉状態で許容されている防盗板４の回動範囲内では突出部２４が側壁部１１に当接することで防盗板４は側壁部１１側への移動が規制され、側壁部１１には、外扉２が開かれて防盗板４が自動販売機本体によって規制を受けない角度まで回動された状態で突出部２４に向き合う貫通孔１７が形成され、この貫通孔１７に突出部２４を挿入させて防盗板４を側壁部１１側に寄せると、他方の側壁部１２に形成された支持孔２１から他方の回動軸部２３ｂが抜ける。【選択図】        図６
2006146575.tif 000002
【特許請求の範囲】
【請求項１】
商品が収納される本体と、
前記本体に対して開閉自在な外扉と、
前記外扉に開口された商品取出口に通じると共に前記本体内から払い出される商品を受ける商品取出部と、
前記商品取出部の相対向する一対の側壁部にそれぞれ形成された支持孔に回動軸部が挿入されてこの回動軸部を中心に回動自在に支持され、前記外扉の閉状態では前記本体によって前記本体側への回動が規制される防盗板と、を備えた自動販売機において、
前記一対の側壁部にそれぞれ対向する前記防盗板の両側端部のうち少なくとも一方には、この側端部が対向する一方の前記側壁部に向けて突出する突出部が設けられ、前記外扉の閉状態で許容されている前記防盗板の回動範囲内では前記突出部が前記一方の側壁部に当接することで前記防盗板は前記一方の側壁部側への移動が規制され、
前記一方の側壁部には、前記外扉が開かれて前記防盗板が前記本体によって規制を受けない角度まで回動された状態で前記突出部に向き合う貫通孔が形成され、この貫通孔に前記突出部を挿入させて前記防盗板を前記一方の側壁部側に寄せると、他方の側壁部に形成された支持孔から他方の回動軸部が抜けた状態となることを特徴とする自動販売機。
【請求項２】
前記一対の側壁部は前記商品取出部の底部よりも下方に突出しており、この突出した部分に、前記防盗板の前記回動軸部が挿入される収納用支持孔が形成され、前記収納用支持孔に前記回動軸部を挿入することで前記防盗板を前記商品取出部の下方に支持可能であり、
前記一対の側壁部の前記商品取出部の底部よりも下方に突出した部分のうち少なくとも一方には、前記防盗板の前記突出部が挿入可能な収納用貫通孔が形成され、この収納用貫通孔に前記突出部を挿入させて前記防盗板を前記一方の側壁部側に寄せると、他方の側壁部に形成された収納用支持孔から他方の回動軸部が抜けた状態となることを特徴とする請求項１に記載の自動販売機。
【発明の詳細な説明】
【技術分野】
【０００１】
本発明は、本体内に収納された商品が、外扉前面に形成された商品取出口を通じて盗難されるのを防止するための防盗板を備えた自動販売機に関する。
【背景技術】
【０００２】
通常、屋外に設置される自動販売機には、商品取出口から手を入れ内部の商品を抜き取ることを阻止するための防盗板が設けられている。例えば特許文献１に示すように、防盗板はその上端部が、商品取出部内において前後方向に回動自在に支持されている。
【特許文献１】特開２００２−２４５５２４号公報
【０００３】
しかし、防盗板は商品の盗難を防止する機能を有する反面、購入者が商品取出部内の商品を手でつかんで取り出す際に邪魔になるという欠点があるため、盗難が発生しやすい場所に設置する自動販売機にのみ防盗板を取り付け、盗難の心配がそれほどない例えば屋内に設置される自動販売機では防盗よりも商品の取り出しやすさを優先して防盗板を取り外して設置することが行われている。
【０００４】
この場合、防盗板の着脱に際しては工具やねじ、ナット類などを用いずに簡単に着脱できるようにすることが作業性や部品点数、部品管理の点で好ましい。そのように簡単に防盗板を着脱自在にした従来構成例として図２２、図２３に示すものがある。
【０００５】
図２２は、商品取出部内に取り付けられた防盗板５１の一方の側端部を、外扉５６の裏側から見た図である。防盗板５１は、その上端部の両端に設けられた回動軸部（図２２には一方の回動軸部５２のみ示す）が商品取出部内の相対向する両側壁部（図２２には一方の側壁部５７のみ示す）に回動自在に支持されて取り付けられている。図２２においては、回動軸部５２が側壁部５７に設けられた支持部材５５に形成された支持孔に挿入されて回動自在に支持されている。また、図２２に示す防盗板５１の一方の側端部５４側において回動軸部５２寄りの部分は切り欠かれて切欠き５３が形成されている。
【０００６】
商品販売時には外扉５６は自動販売機本体に対して閉じられ、この状態では、防盗板５１の後方側（図２２において手前側）への回動は、防盗板５１が本体に当たることによって規制される。この規制により、外扉５６が閉じられた状態では、切欠き５３及び側端部５４が、側壁部５７の後方側（図２２において手前側）にはみ出ることがない。
【０００７】
したがって、防盗板５１はその一方の側端部５４が一方の側壁部５７の内面に当接することによって側壁部５７側への移動が規制され、また反対側の側端部がこの側端部が対向している他方の側壁部の内面に当接することによってその他方の側壁部側への移動が規制されている。これにより、防盗板５１の両回動軸部はこれらをそれぞれ支持している支持孔から抜けることがなく、商品販売時には防盗板５１は外れないようになっている。
【０００８】
防盗板５１を商品取出部から取り外す場合には、先ず、外扉５６を開けて防盗板５１の後方への回動が本体によって規制されないようにした上で、防盗板５１を、図２３に示すように後方（図２３において手前側）に回動させる。これは、防盗板５１の側端部５４が側壁部５７の内面に当たらない位置まで回動させる。外扉５６を閉じた状態ではここまで回動させることはできない。
【０００９】
そして、図２３において２点鎖線で示すように、防盗板５１を図において右方に移動させる。このとき、切欠き５３の存在が上記防盗板５１の右方への移動を許容する。この移動により、左端側の回動軸部が左方の側壁部の支持孔から抜ける。この左方の側壁部の支持から外れた左方の側端部側を図２３において手前に引き出す。左方の側端部が左方の側壁部に重ならない位置にまで引き出して、防盗板５１の左方への移動が左方の側壁部によって規制されないようにする。この状態で、そのまま左方に防盗板５１を移動させれば右方の側壁部５７に支持されていた回動軸部５２（図２２）も支持孔から抜け、この結果、防盗板５１の両回動軸部は商品取出部の両側壁部からの支持から外れ、防盗板５１は商品取出部から取り外される。
【発明の開示】
【発明が解決しようとする課題】
【００１０】
上記図２２、図２３に示す従来例では、防盗板５１を後方（自動販売機本体側）へと回動させた状態で、側端部５４が側壁部５７からはみ出すようにしなければならないため、防盗板５１の長さ（短手方向長さ）に対して側壁部５７の奥行き寸法が大きい場合には、いくら防盗板５１を後方側に回動させても、側端部５４が側壁部５７内面に向き合う位置から外れることができず、よって防盗板５１を右方へと移動させようとしても側端部５４が側壁部５７内面に当接してその移動を行えない。したがって、回動軸部を支持孔から抜けさせることができず防盗板５１の取り外しが行えない。
【００１１】
また、側壁部５７の奥行き寸法が大きなものに対処するためには、防盗板５１の長さを長くしてかつ切欠き５３も防盗板５１の下端部側に延ばす必要があるが、防盗板５１の長さが長くなってしまうと、その分、商品取出部内にある商品を手に取ろうと商品取出部内に手を差し入れた際に防盗板５１が邪魔になって、商品の取り出し性が悪くなってしまう。
【００１２】
本発明は上述の問題に鑑みてなされ、その目的とするところは、商品取出部の側壁部の奥行き寸法が大きなものであっても防盗板の長さの増大はまねかずに容易に防盗板の側壁部に対する着脱を行える自動販売機を提供することにある。
【課題を解決するための手段】
【００１３】
本発明は前記課題を解決するため以下の構成を採用した。
すなわち、本発明の自動販売機では、商品取出部の一対の側壁部にそれぞれ対向する防盗板の両側端部のうち少なくとも一方に、この側端部が対向する一方の側壁部に向けて突出する突出部が設けられ、外扉の閉状態で許容されている防盗板の回動範囲内ではその突出部が一方の側壁部に当接することで防盗板は一方の側壁部側への移動が規制され、一方の側壁部には、外扉が開かれて防盗板が本体によって規制を受けない角度まで回動された状態で突出部に向き合う貫通孔が形成され、この貫通孔に突出部を挿入させて防盗板を一方の側壁部側に寄せると、他方の側壁部に形成された支持孔に対応する他方の回動軸部は他方の支持孔から抜けた状態となる。
【００１４】
外扉が本体に対して閉じられた状態における防盗板の回動範囲内では、上記突出部は側壁部に形成された貫通孔に向き合わず、側壁部内面における貫通孔以外の部分に向き合う位置にある。したがって、防盗板をその側壁部側に寄せようと移動を試みても突出部が側壁部内面に当接してその防盗板の移動が規制される。この結果、防盗板の回動軸部が側壁部の支持孔から外れることがなく、外扉が閉まった状態では防盗板を取り外すことができない。
【００１５】
外扉が開けられた状態では、突出部を側壁部に形成された貫通孔に向き合わせる位置まで回動させることが可能になる。よって、突出部を貫通孔に挿入させることで防盗板をその突出部が向き合う一方の側壁部側に寄せることができ、これにより、他方の側壁部の支持孔に支持される他方の回動軸部をその支持孔から抜けた状態とすることができる。他方の回動軸部が他方の側壁部の支持から外れれば、この防盗板の他方側を他方の側壁部から外れた位置まで引き出して、一方の回動軸部及び突出部をこれらがそれぞれ挿入されている支持孔及び貫通孔から抜くべく防盗板を他方側に移動させることができる。これにより、防盗板を両側壁部の支持から外して、商品取出部から取り外すことができる。
【００１６】
防盗板を商品取出部に取り付けるには、先ず、突出部及びこの突出部が設けられた側の回動軸部をそれぞれ一方の側壁部に形成された支持孔及び貫通孔に挿入して防盗板をその一方の側壁部側に寄せる。そして、他方の回動軸部を他方の側壁部の支持孔に位置合わせした上で、防盗板を他方の側壁部側に寄せて、他方の回動軸部を他方の支持孔に挿入し、突出部を貫通孔から抜き、両回動軸部がそれぞれ両側壁部の支持孔に挿入支持されてぶら下げられた状態にする。
【００１７】
従来では、通常時に防盗板の側壁部側への移動を規制する部分である防盗板の側端部（側壁部に向かって突出している部分）を、取り外し時には側壁部からはみ出せる必要があったが、本発明では、通常時に防盗板の側壁部側への移動を規制する部分である上記突出部を側壁部からはみ出せなくても、側壁部に形成された貫通孔に向き合わせれば防盗板の側壁部側への移動を可能にして防盗板を取り外すことができる。すなわち、側壁部の奥行き寸法が防盗板の長さよりも大きくて、通常時に防盗板の側壁部側への移動を規制する部分が、防盗板をいくら回動させたところで側壁部からはみ出さないような構成にも対処可能となる。
【００１８】
また、側壁部の奥行き寸法が大きい場合に、防盗板の側壁部側への移動を規制する部分を側壁部からはみ出させるべく防盗板の長さを長くする必要もない。防盗板の長さの増大を抑えることは、商品販売時における防盗板と商品受け部との隙間が狭くなることを抑えて、商品の取出性が損なわれるのを防ぐ。
【発明の効果】
【００１９】
本発明の自動販売機によれば、側壁部の奥行き寸法と防盗板の長さとの関係がどのようなものであっても、商品販売時には防盗板の側壁部側への移動による外れを確実に防止して、取り外しまたは取り付け時には、工具やねじ類などを使わずに簡単に取り付けまたは取り外しを行える。また、側壁部の奥行き寸法の増大にあわせて防盗板の長さを長くする必要もなく、商品の取出性も損ねない。
【発明を実施するための最良の形態】
【００２０】
以下、本発明を適用した具体的な実施形態について、図面を参照しながら詳細に説明する。なお、本発明は以下の実施形態に限定されるものではなく、本発明の技術的思想に基づいて種々の変形が可能である。
【００２１】
図１は、本実施形態に係る自動販売機において商品取出口１が形成された外扉２下部の拡大正面図を示す。図２は外扉２の内面側から商品取出部３を見た図であり、商品取出部３に防盗板４が取り付けられている状態を示し、図３はその防盗板４が商品取出部３から外され、防盗板収納部５に収納された状態を示す。
【００２２】
外扉２は自動販売機本体に対して開閉自在にその本体の前方に取り付けられている。この外扉２の下部に横長の商品取出口１が形成されている。また、商品取出口１の横には釣銭返却口６が形成されている。図示しないが、本体内には商品が収納される商品収納庫が設けられている。
【００２３】
商品取出口１は、外扉２の内面側に設けられた商品取出部３に通じている。図２、図３に示すように、商品取出部３は、上板部７と、底部８と、相対向する一対の側壁部１１、１２とを有する箱状を呈している。底部８は下に凸状にくぼんでおり、商品収納庫から払い出された商品を受ける商品受け部として機能する。商品取出口１は透明な板状のカバー１３によって覆われている。カバー１３の上端部は商品取出部３の前方側の上部に回動自在に取り付けられ、カバー１３を手前に回動させれば購入者は商品取出口１から手を入れて商品受け部８に搬出された商品をつかんで取り出すことができる。
【００２４】
図３に示すように、商品取出口１の長手方向左右両側の外扉２内面にはストッパ１４ａ、１４ｂが設けられている。ストッパ１４ａ、１４ｂは、防盗板４が商品取出部３に取り付けられた際に防盗板４の前面の左右両端部と当接することで、防盗板４の前方への回動を規制する。各ストッパ１４ａ、１４ｂには、防盗板４との当接による衝撃を緩和する緩衝部材１５ａ、１５ｂが設けられている。
【００２５】
図２に示すように、商品取出部３の底部８と、外扉２の底部内面２ａとの間には後方にのみ開口された箱状の空間５が形成され、この空間５は商品取出部３から取り外された防盗板４の収納部として機能する。
【００２６】
次に、図４、図１１を参照して、一対の側壁部１１、１２のうちの一方の側壁部１１について説明する。図４は、商品取出部３の内部から側壁部１１の内面を見た拡大斜視図であり、図１１はその反対面側から側壁部１１を見た平面図である。
【００２７】
側壁部１１は、例えば鋼などの金属材料からなる板状部材であり、上部には丸孔状の支持孔１６と、矩形スリット状の貫通孔１７がそれぞれ側壁部１１を貫通して形成されている。支持１６孔は、図４に示すように、ストッパ１４ａの上端部近傍に位置する。貫通孔１７は、支持孔１６のすぐ後方側（本体側）に位置し、その長手方向は商品取出部３の奥行き方向と略平行となっている。
【００２８】
図１１に示すように、側壁部１１の下部には、丸孔状の収納用支持孔１８と、矩形スリット状の収納用貫通孔１９がそれぞれ側壁部１１を貫通して形成されている。これら収納用支持孔１８と収納用貫通孔１９が形成された部分は、図２及び図９に示すように、商品取出部３の底部である商品受け部８よりも下方に突出して、防盗板４の収納部５に臨んでいる。収納用貫通孔１９は、収納用支持孔１８のすぐ前方側に位置し、前方に向かって下向きに傾斜している。
【００２９】
次に、図５、図１２を参照して、他方の側壁部１２について説明する。図５は、商品取出部３の内部から側壁部１２の内面を見た拡大斜視図であり、図１２はその反対面側から側壁部１２を見た平面図である。
【００３０】
側壁部１２は、例えば鋼などの金属材料からなる板状部材であり、上部には丸孔状の支持孔２１が側壁部１２を貫通して形成されている。支持孔２１は、図５に示すように、ストッパ１４ｂの上端部近傍であって、かつ上述した側壁部１１の支持孔１６に対向して位置する。
【００３１】
図１２に示すように、側壁部１２の下部には、丸孔状の収納用支持孔２２が側壁部１２を貫通して形成されている。収納用支持孔２２が形成された部分は、図２及び図１０に示すように、商品取出部３の底部である商品受け部８よりも下方に突出して、防盗板４の収納部５に臨んでいる。収納用支持孔２２は、上述した側壁部１１の収納用支持孔１８に対向して位置する。
【００３２】
次に、図１３及びこの図１３における［Ａ］−［Ａ］線方向の断面図である図１４を参照して、防盗板４について説明する。図１３は、防盗板４が商品取出部３に取り付けられた状態で商品取出口１側に向く面を示す。
【００３３】
防盗板４は、例えば鋼などの金属材料からなる矩形板状部材の上端部側及び下端部側を図１４に示すように曲げ加工してなる。上端部側は、防盗板４を商品取出部３に取り付けた状態で本体側に向く裏面側に折り返されるように曲げられている。その上端部の左右の両端は、防盗板４の左右の側端部２５ａ、２５ｂよりもそれぞれ突出しており、回動軸部２３ａ、２３ｂを構成する。なお、回動軸部２３ａ、２３ｂは円柱状や円筒状であってもよい。
【００３４】
図１３において、防盗板４の左側の側端部２５ａであって、かつ左端側の回動軸部２３ａのすぐ下方位置には、突出部２４が防盗板に一体に設けられている。突出部２４は、防盗板４の大部分を占める板状部２６の厚さと同じ厚さを有する略矩形状の片として形成され、左端側の回動軸部２３ａと同じ方向に突出している。突出部２４の突出長さは、回動軸部２３ａの突出長さより短い。
【００３５】
防盗板４の下端部側は、図１４に示すように、側断面形状が略三角形状となるように裏面側に曲げられている。その曲げられた部分において、三角形の頂部から防盗板４の裏面側に漸次近づくように傾斜している部分２７には緩衝部材２８が防盗板４の長手方向に沿って取り付けられている。本体側から払い出された商品が商品取出部３内に落下する際にその緩衝部材２８に当たることで商品及び防盗板４が受ける衝撃が緩和される。
【００３６】
［防盗板が商品取出部に取り付けられた状態］
防盗板４が商品取出部３に取り付けられた状態では、防盗板４の２つの回動軸部２３ａ、２３ｂがそれぞれ側壁部１１、１２の支持孔１６、２１に挿入され、防盗板４はその支持孔１６、２１にぶら下がるようにして側壁部１１、１２に支持されている。図６に、一方の回動軸部２３ａが一方の支持孔１６に挿入された状態を示す。図示しないが、他方の回動軸部２３ｂについても、他方の側壁部１２に形成された支持孔２１に挿入されている。防盗板４は、その両回動軸部２３ａ、２３ｂを中心に商品取出部３内で前後方向に回動自在となっている。防盗板４の幅方向（長手方向）寸法は、図１に示すように、商品取出口１の幅方向（長手方向）寸法と略等しい、あるいはわずかに短い。
【００３７】
図１８は、商品取出部３において一方の側壁部１１の内面側を見た側断面図を示す。外扉２が本体に対して閉じられた状態で防盗板４が回動できる範囲を２点鎖線で示している。なお、商品取出口１を開閉するカバー１３の回動範囲も２点鎖線で示している。外扉２が本体に対して閉じられた状態では、防盗板４は、図示しない内扉と当接することでそれ以上の後方（図１８において右方）への回動が規制される。なお、内扉は商品収納庫と外扉２との間に位置する。また、防盗板４は、商品取出口１の左右の側方に設けられたストッパ１４ａ、１４ｂ（図３参照）と当接することでそれ以上の前方（図１８において左方）への回動が規制される。
【００３８】
上述した外扉２が閉状態における防盗板４の回動範囲内では、防盗板４の一方の側端部２５ａに設けられた突出部２４は、これが対向する側壁部１１に形成された貫通孔１７に向き合わされることはなく、その突出部２４が側壁部１１内面に当接することで防盗板４の側壁部１１側への移動が規制される。また、他方の側壁部１２側への移動は防盗板４の他方の側端部２５ｂが他方の側壁部１２内面に当接することで規制される。したがって、外扉２を閉じた状態では防盗板４の両回動軸部２３ａ、２３ｂが支持孔１６、２１から抜けることはなく挿入状態を安定して維持することができ、よって防盗板４が外れることがない。この結果、防盗板４による防盗作用が損なわれることがない。
【００３９】
商品販売時には当然外扉２が閉じられており、本体内の商品収納庫から払い出された商品は、図示しないシュートを転がって内扉に形成された払出口を開閉する断熱扉を前方へ押し開け、商品取出部３の商品受け部８へと搬出される。このとき、払出口を商品が通過することにより前方へ押し開けられた断熱扉が防盗板４を前方へ押すため防盗板４も前方へ回動して、払出口から商品受け部８への商品の搬出を許容する。
【００４０】
そして、購入者がカバー１３を手前に開けて（図１８参照）、手で防盗板４を後方へ押すことにより防盗板４は後方へ回動され、これにより防盗板４が邪魔にならずに購入者は商品受け部８の上にある商品を手でつかんで商品取出口１を通して手元に取り出すことができる。このとき、防盗板４が後方に回動した状態では防盗板４の下端部側が払出口を開閉する断熱扉に当接し、断熱扉が前側に大きく開くことを阻止して、商品収納庫内の商品が盗難されることを防止している。すなわち、商品取出口１から手を入れても、防盗板が邪魔になって払出口の内部へ手を入れることができない。
【００４１】
また、防盗板４の前方への回動はストッパ１４ａ、１４ｂにより規制され、この前方への回動が規制された位置では防盗板４の下方に手を差し込める隙間が形成されず、商品の盗難が防止される。
【００４２】
［防盗板の商品取出部からの取り外し］
自動販売機を、盗難やいたずら等の心配が少ない例えば屋内に設置する場合には、防盗よりも商品の取り出しやすさを優先して、以下に述べるようにして防盗板４を商品取出部３から取り外す。
【００４３】
先ず、外扉２を開けて防盗板４の後方への回動が内扉によって規制されないようにしてから、図７、図１５及び図１９に示すように、防盗板４の一方の側端部２５ａに形成された突出部２４が一方の側壁部１１に形成された貫通孔１７に向き合う位置まで防盗板４を回動させる。この状態では防盗板４は略水平とされる。外扉２が閉じられた状態では内扉によって規制され、その位置まで防盗板４を回動させることはできない。
【００４４】
次に、貫通孔１７に突出部２４を挿入して、防盗板４を、図１６において実線で示すように一方の側壁部１１側に寄せる。これにより、防盗板４の一方の側端部２５ａは一方の側壁部１１に当接し、回動軸部２３ａ及び突出部２４は図８に示すように側壁部１１の外面側に突き出る。このとき、他方の回動軸部２３ｂは他方の側壁部１２に形成された支持孔２１から抜ける。
【００４５】
そして、図１６において２点鎖線で示すように、支持孔１６、貫通孔１７にそれぞれ挿入されている回動軸部２３ａ、突出部２４を支点にして、他方の支持孔２１からの支持が外れた防盗板４の側端部２５ｂ側を、外扉２の内面に向き合っている作業者にとって手前側に（図１６において上方側に）に引き出す。防盗板４の側端部２５ｂを側壁部１２に重ならない位置まで引き出した後、防盗板４を図１６において右方に移動させれば側壁部１２に邪魔されることなくその移動を行え、これにより回動軸部２３ａ及び突出部２４を側壁部１１の支持孔１６及び貫通孔１７からそれぞれ抜くことができる。これにより、防盗板４を側壁部１１、１２の支持から外すことができ、商品取出部３から取り外せる。そして、購入者は防盗板４が邪魔にならずに商品を取り出せ、利便性が向上する。
【００４６】
図２２、図２３に示した従来の構成における切欠き５３は、図７に示す本実施形態における回動軸部２３ａと突出部２４との間の凹所に相当し、その従来例では回動軸部２３ａと突出部２４との距離が側壁部１１の奥行き寸法よりも長くて、防盗板４を後方へと回動させた状態で突出部２４を側壁部１１からはみ出させなければ防盗板４を側壁部１１側に寄せることができなかった。すなわち、従来構成では、側壁部１１の奥行き寸法よりも防盗板４の長さ（短手方向長さ）が長くなければならなかった。
【００４７】
これに対して、本実施形態では、側壁部１１の奥行き寸法が防盗板４の長さよりも大きくて、防盗板４を後方へと回動させたときに防盗板４が側壁部１１からはみ出ないような場合であっても、防盗板４の突出部２４が側壁部１１に形成された貫通孔１７に向き合う位置で防盗板４を側壁部１１側に寄せることができる。すなわち、本実施形態では、側壁部１１の奥行き寸法と防盗板４の長さとの関係に拘束されず、設計自由度や汎用性が高い。
【００４８】
また、突出部２４を防盗板４の下端部側に設けると、特に側壁部１１の奥行き寸法が短い場合には、図７に示す位置まで回動しなくても、すなわち外扉２が閉じられた状態における本体によって規制される回動範囲内の回動でも突出部２４が側壁部１１からはみ出してしまう可能性がある。こうなると、商品販売時に防盗板４の側壁部１１側への移動を許容して、防盗板４が取り外されてしまうおそれがある。
【００４９】
これに対して、本実施形態では、防盗板４の上端部である回動軸部２３ａの近傍に突出部２４を設けているので、どの位置に回動されても突出部２４は側壁部１１から外れることはなく側壁部１１内面に対向しており、貫通孔１７に向き合う位置以外では突出部２４が側壁部１１内面に当接することで確実に防盗板４の側壁部１１側への移動を規制する。
【００５０】
［防盗板の収納部への収納］
商品取出部３から取り外された防盗板４は、以下に述べるようにして、商品取出部３の下方にある収納部５に収納される。先ず、図９に示すように一方の回動軸部２３ａを、収納部５に臨む側壁部１１下部の収納用支持孔１８に挿入し、さらに突出部２４が貫通孔１９に向き合う位置まで防盗板４を前方に回動させる。そして、突出部２４を貫通孔１９に挿入して図１７の実線で示すように防盗板４を側壁部１１側に寄せる。その状態で防盗板４の他方の回動軸部２３ｂを他方の側壁部１２に形成された収納用支持孔２２に向き合わせるべく防盗板４の他方の側端部２５ｂ側を外扉２の前方側に押し、これにより図１７において２点鎖線で示すように防盗板４は一対の側壁部１１、１２間に入り込む。
【００５１】
そして、防盗板４を側壁部１２側（図１７において右方）に移動させて回動軸部２３ｂを側壁部１２に形成された収納用支持孔２２に挿入して、両回動軸部２３ａ、２３ｂが対応するそれぞれの収納用支持孔１８、２２に挿入支持された状態にし、図２０に示すように、下端部側を収納部５の底部２ａに当接させる。
【００５２】
この収納状態にある防盗板４は、突出部２４により一方の側壁部１１側への移動が規制され、他方の側壁部１２側への移動は側端部２５ｂによって規制される。したがって、両回動軸部２３ａ、２３ｂがそれぞれの収納用支持孔１８、２２から抜けることがなく安定して収納状態を維持できる。
【００５３】
収納用支持孔１８、２２及び収納用貫通孔１９を設けるにあたっては、商品取出部３の側壁部１１、１２をそのまま商品取出部３の下方に延ばして、その延ばした部分に単に孔をあけているので、部品点数の増大をまねかず、また組み立ても容易になる。
【００５４】
［防盗板の収納部からの取り外し］
防盗板４は、上述した商品取出部３から取り外すときと同じようにして収納部５から取り外すことができる。先ず、図９及び図２０の状態から防盗板４を前方に回動させ、突出部２４を側壁部１１に形成された貫通孔１９に向き合わせる。
【００５５】
次に、貫通孔１９に突出部２４を挿入して、防盗板４を、側壁部１１側に寄せる。これにより、突出部２４は側壁部１１の外面側に突き出て、反対側にある回動軸部２３ｂは側壁部１２に形成された収納用支持孔２２から抜ける。
【００５６】
そして、その収納用支持孔２２からの支持が外れた防盗板４の側端部２５ｂ側を、外扉２の内面に向き合っている作業者にとって手前側に引き出す。防盗板４の側端部２５ｂを収納部５の側壁部に重ならない位置まで引き出した後、防盗板４を図９において左方に移動させれば側壁部１２に邪魔されることなくその移動を行え、これにより回動軸部２３ａ及び突出部２４を側壁部１１の収納用支持孔１８及び収納用貫通孔１９からそれぞれ抜くことができる。これにより、防盗板４を収納用支持孔１８、２２の支持から外すことができ、収納部５から取り外せる。
【００５７】
［防盗板の商品取出部への取り付け］
防盗板４を商品取出部３に取り付けるには、上述した収納部５への取り付けと同じようにして行える。先ず、一方の回動軸部２３ａを側壁部１１に形成された支持孔１６に挿入し、さらに図７に示すように、突出部２４が貫通孔１７に向き合う位置まで防盗板４を回動させる。そして、突出部２４を貫通孔１７に挿入して防盗板４を側壁部１１側に寄せる。その状態で防盗板４の他方の回動軸部２３ｂを他方の側壁部１２に形成された支持孔２１に向き合わせるべく防盗板４の他方の側端部２５ｂ側を外扉２の前方側に押し、これにより防盗板４は一対の側壁部１１、１２間に入り込む。
【００５８】
そして、防盗板４を側壁部１２側（図７において左方）に移動させて回動軸部２３ｂを側壁部１２に形成された支持孔２１に挿入して、両回動軸部２３ａ、２３ｂが対応するそれぞれの支持孔１６、２１に挿入支持された状態にしてぶら下げる。
【００５９】
防盗板４の、商品取出部３に対する着脱及び収納部５に対する着脱は、何れも外扉２を開けた状態で行われる。
【００６０】
図２１は防盗板４の別の収納形態を示す。商品取出部３の底部と、外扉２内面の底部との間に、防盗板４の長さよりも大きい高さ寸法の収納部を確保できる場合には、図２０のように防盗板４の下端部を外扉２内面の底部２ａに当接させることに限らず、図２１に示すように、単に収納用支持孔１８、２２にぶら下げた状態で防盗板４を収納してもよい。
【００６１】
また、上記実施形態とは逆に、突出部２４を側端部２５ｂに設け、この側端部２５ｂが向き合う側壁部１２に貫通孔１７及び収納用貫通孔１９を形成してもよい。あるいは、両側端部２５ａ、２５ｂに突出部２４をそれぞれ設け、両側壁部１１、１２にそれぞれ貫通孔１７及び収納用貫通孔１９を形成してもよい。
【００６２】
また、突出部２４は薄片状に限らず、柱状、ピン状、筒状などであってもよい。この場合、突出部２４の形状に合わせて、貫通孔１７及び収納用貫通孔１９の形状も突出部２４が挿入可能な形状にされる。また、突出部２４及びこれに対応する貫通孔１７や収納用貫通孔１９の数はそれぞれ１つに限ることなく複数であってもよい。
【図面の簡単な説明】
【００６３】
【図１】本発明の実施形態に係る自動販売機の商品取出口付近の拡大正面図である。
【図２】同自動販売機における商品取出部を外扉の裏側から見た図であり、防盗板が商品取出部に取り付けられている状態を示す。
【図３】同自動販売機における商品取出部を外扉の裏側から見た図であり、防盗板が商品取出部の下方に収納された状態を示す
【図４】上記商品取出部の一方の側壁部を内面側から見た拡大斜視図である。
【図５】他方の側壁部を内面側から見た拡大斜視図である。
【図６】図４に示す側壁部に防盗板の一方の回動軸部が支持された状態の図である。
【図７】図６の状態から突出部が貫通孔に向き合わされる位置まで回動された状態の図である。
【図８】図７の状態から防盗板が一方の側壁部側に寄せられ、防盗板の突出部が側壁部に形成された貫通孔から側壁部の外面側に突き出た状態を示す図である。
【図９】商品取出部の下方に形成された防盗板収納部における一方の側壁部近傍の拡大斜視図である。
【図１０】他方の側壁部において商品取出部から防盗板収納部へと突出する部分の拡大斜視図である。
【図１１】一方の側壁部の外側から見た側面図である。
【図１２】他方の側壁部の外側から見た側面図である。
【図１３】防盗板の正面図である。
【図１４】図１３における［Ａ］−［Ａ］線方向の断面図である。
【図１５】突出部が貫通孔に向き合わされる位置まで防盗板が回動された状態の平面図である。
【図１６】商品取出部からの防盗板の取り外し方を説明する平面図である。
【図１７】商品取出部から取り外した防盗板の収納部への収納のしかたを説明する平面図である。
【図１８】商品取出部の側断面図であり、外扉が閉状態での防盗板の回動範囲を示す。
【図１９】商品取出部の側断面図であり、外扉が開状態とされ、防盗板が取り外し位置まで回動された状態を示す。
【図２０】商品取出部から取り外された防盗板が収納部に収納された状態を示す図である。
【図２１】防盗板の収納形態の別形態を示す図である。
【図２２】従来例の防盗板の一方の側端部及びこれが対向される商品取出部の側壁部の拡大斜視図である。
【図２３】図２２の状態から防盗板が取り外し位置まで回動された状態を示す図である。
【符号の説明】
【００６４】
１…商品取出口、２…外扉、３…商品取出部、４…防盗板、５…防盗板の収納部、１１…側壁部、１２…側壁部、１６…支持孔、１７…貫通孔、１８…収納用支持孔、１９…収納用貫通孔、２１…支持孔、２２…収納用貫通孔、２３ａ…回動軸部、２３ｂ…回動軸部、２４…突出部、２５ａ…側端部、２５ｂ…側端部。
【図１】
2006146575.tif 000003
【図２】
2006146575.tif 000004
【図３】
2006146575.tif 000005
【図４】
2006146575.tif 000006
【図５】
2006146575.tif 000007
【図６】
2006146575.tif 000008
【図７】
2006146575.tif 000009
【図８】
2006146575.tif 000010
【図９】
2006146575.tif 000011
【図１０】
2006146575.tif 000012
【図１１】
2006146575.tif 000013
【図１２】
2006146575.tif 000014
【図１３】
2006146575.tif 000015
【図１４】
2006146575.tif 000016
【図１５】
2006146575.tif 000017
【図１６】
2006146575.tif 000018
【図１７】
2006146575.tif 000019
【図１８】
2006146575.tif 000020
【図１９】
2006146575.tif 000021
【図２０】
2006146575.tif 000022
【図２１】
2006146575.tif 000023
【図２２】
2006146575.tif 000024
【図２３】
2006146575.tif 000025